(57)【要約】【課題】容器本体内の液状物が本来的に有している特性を十分に発揮させることができる磁化噴射スプレーノズル、スプレー容器を提供する。【解決手段】容器本体１に導出させる吸上げチューブ２３等に通じる液状物流通路２２に永久磁石３を添設して、上記液状物流通路２２の噴射口２４近傍に磁場を集中させるとともに、液状物Bを充填させた本体容器１に着脱可能に結合させる取付部１１を設けた構造にしたことを特徴とする。【選択図】図１
2005238180.tif 000002
【特許請求の範囲】
【請求項１】
容器本体に導出させる吸上げチューブ等に通じる液状物流通路に永久磁石を添設して、上記液状物流通路の噴射口近傍に磁場を集中させるようにするとともに、液状物を充填させた本体容器に着脱可能に結合させる取付部を設けた構造にしたことを特徴とする磁化噴射スプレーノズル。
【請求項２】
請求項１において、
上記噴射口は、上記永久磁石に接続された磁性体ヨークで挟まれて磁場を集中させる構造にしたことを特徴とする磁化噴射スプレーノズル。
【請求項３】
操作部を押圧することで、容器本体内に充填されている液状物を、吸上げチューブ等によってノズルヘッドまで吸い上げて、このノズルヘッドの噴射口より噴射させるスプレー容器において、
上記ノズルヘッドの噴射口近傍に磁場を集中させるようにして、上記ノズルヘッドの内部に形成された液状物流通路に永久磁石を添設した構造にしたことを特徴とするスプレー容器。
【請求項４】
請求項３において、
上記容器本体には、化粧水、化粧用乳液等の化粧用液状物、あるいは塗料用液状物を充填したことを特徴とするスプレー容器。
【発明の詳細な説明】
【技術分野】
【０００１】
本発明は、液状物を強い磁場に通過させることで、その液状物中の分子構造に変化を与え（以下、「磁化」と呼ぶ。）、瞬間的に活性化された状態で上記液状物を噴射できる新規な磁化噴射スプレーノズルと、この磁化噴射スプレーノズルを用いたスプレー容器に関する。
【背景技術】
【０００２】
従来より、噴射ノズルや操作部を押圧することにより、容器本体内に充填されている液状物を上記噴射ノズルまで吸上げて、被噴射体に向けて噴射させるため、様々な構造のスプレー容器が提案されている（例えば、特許文献１、２などがある）が、いずれにも上記液状物を磁化して、活性化させた状態で噴射させるようなものは存在しない。
【特許文献１】特開平１０−１３７６３２号
【特許文献２】特開平１１−２６３３８６号
【発明の開示】
【発明が解決しようとする課題】
【０００３】
化粧水や、乳液などを肌に使用する場合、通常は、容器本体内に充填されている化粧水や乳液を適量だけ手にとってから特定部位に塗布したり、あるいはスプレー容器に入っているものは、そのまま特定部位に噴霧するが、これらの液状物は、一般に固有の分子構造が、不規則な配列状態で塊（クラスターの状態）となって結合しているため、そのままの状態で塗布されたり、噴霧されたときには、肌への浸透性はさほど良好ではなく、それらの液状物の効果を十分に引き出して使用することはできず、前述した特許文献１、２も、この点については何ら考慮されていない。
【０００４】
そこで、本発明者は、このような化粧水や乳液などを、それらの本来の性質を阻害することなく、肌に効率よく浸透させることが出来ないかどうかを鋭意研究した結果、強い磁場内に液状物を速い流速で通過させ、この液状物に磁力を与えた際には、この液状物のクラスターを細分化することができるとともに、水分子の結合を弱めて（或いは切り離して）、配列方向を整え、その結果として、液状物の溶解力や浸透力を向上させることができ、液状物が本来的に有している特性を十分に発揮できることを判明し、本発明の開発に至ったものである。
【０００５】
例えば、水分子に磁力を与えたときには、水の表面張力が変化するという現象自体は良く知られているが、この表面張力が変化したときの水の分子配列構造は規則的である。
【０００６】
また、磁力が付与された液体等の分子構造は、その磁力の影響を受けなくなれば、短い時間で元に戻ってしまうため、容器本体内に充填され、静止状態にある液体等に磁力を与えるだけでは、液状物等の保有する効果を強化するには十分でないことも判った。
【０００７】
本発明は、かかる課題を解決することを目的とし、更に鋭意研究を進めて開発されたものであって、容器本体内に充填されている液状物を、噴射する直前状態のときに強い磁場を通して磁化することによって、上記液状物のクラスターを細分化するだけでなく、噴霧された液状物を更に細かく分散化して、液状物が本来的に有している特性を強化させて、肌や被噴射体に対して活性化した状態で噴射供給できることを知得した結果、本発明に到達し、新規な構造の磁化噴射スプレーノズルと、その磁化噴射スプレーノズルの基本原理を利用したスプレー容器を提供するものである。
【課題を解決するための手段】
【０００８】
上記目的を達成するため、
請求項１に係る磁化噴射スプレーノズルは、容器本体に導出させる吸上げチューブ等に通じる液状物流通路に永久磁石を添設して、上記液状物流通路の噴射口近傍に磁場を集中させるようにするとともに、液状物を充填させた本体容器に着脱可能に結合させる取付部を設けた構造にしたことを特徴とする。
【０００９】
ここで、磁化とは、一般には、金属が磁性を帯びた状態を言うが、本明細書中では、液状物を強い磁場に通過させることで、その液状物中の分子構造に変化が与えられて瞬間的に活性化された状態を意味する。
【００１０】
このものでは、液状物が噴射される直前状態のときに強い磁場を通して磁化することによって、液状物中の水素と結合している水分子の酸素原子が電磁波エネルギーを受けて共鳴し、電磁波エネルギーを吸収し、更に磁場により起電力（ローレンツ力）を発生させて、イオンを激しく衝突させるなどして、水分子同士の集合が切り離れ、或いは、弱まるために活性化する。
【００１１】
その結果、容器本体から吸い上げられた液状物は、クラスターが細分化され、浸透力が高められた状態で被噴射体に噴射することができ、液状物が本来的に有している特性を十分に引き出して使用することができる。
【００１２】
請求項２に係る磁化噴射スプレーノズルは、請求項１において、上記噴射口は、上記永久磁石に接続された磁性体ヨークで挟まれて磁場を集中させる構造にしたことを特徴とする。
【００１３】
このものでは、磁性体ヨークを永久磁石に接続することで、その全ての磁束を噴射口の一点に収束させて、細い液状物流通路の中を通る液状物の１分子に当たる磁束数を極端に上げることによって、最大限の磁場を形成することができる。
【００１４】
請求項３に係るスプレー容器は、操作部を押圧することで、容器本体内に充填されている液状物を、吸上げチューブ等によってノズルヘッドまで吸い上げて、このノズルヘッドの噴射口より噴射させるスプレー容器において、上記ノズルヘッドの噴射口近傍に磁場を集中させるようにして、上記ノズルヘッドの内部に形成された液状物流通路に永久磁石を添設した構造にしたことを特徴とする。
【００１５】
このものでは、容器本体内の液状物が噴射される直前状態のときに強い磁場を通して磁化することによって、水素と結合している水分子の酸素原子が電磁波エネルギーを受けて共鳴し、電磁波エネルギーを吸収し、更に磁場により起電力（ローレンツ力）を発生させて、イオンを激しく衝突させるなどして、水分子同士の集合が切り離れ、或いは弱まるために活性化する。
【００１６】
その結果、容器本体から吸い上げられた液状物は、クラスターが細分化され、浸透力が高められた状態で被噴射体に噴射することができ、液状物が本来的に有している特性を十分に引き出して使用することができる。
【００１７】
請求項４に係るスプレー容器は、請求項３において、上記容器本体には、化粧水、化粧用乳液等の化粧用液状物、あるいは塗料用液状物を充填したことを特徴とする。
【００１８】
このものでは、化粧用液状物や塗料液状物を噴霧する際には、活性化された液状物を広い範囲に亘って、より細かい霧粒子に分散させて噴射できるので、皮膚表面からの浸透を高めることができ、また、塗装を対象面にムラなく綺麗に仕上ることができる。
【発明の効果】
【００１９】
本発明によれば、次のような効果がある。
本発明の請求項１及び請求項３に係る磁化噴射スプレーノズル、スプレー容器によれば、霧状態に分散されて高速で噴射される液状物に強い磁力を与える構造にしているので、水素と結合している水分子の酸素原子が電磁波エネルギーを受けて共鳴し、電磁波エネルギーを吸収し、更に磁場により起電力（ローレンツ力）を発生させて、イオンを激しく衝突させるなどして、水分子同士の集合が切り離されて活性化する。その結果、容器本体から吸い上げられた液状物は、クラスターが細分化され、浸透力が高められた状態で被噴射体に噴射することができ、被噴射体に対する上記液状物の効果を高めることができる。
【００２０】
また、請求項２に係る磁化噴射磁性体ヨークを永久磁石に接続することで、その全ての磁束を噴射口の一点に収束させて、細い液状物流通路の中を通る液状物の１分子に当たる磁束数を極端に上げることによって、最大限の磁場を形成することができる。
【００２１】
更に、請求項４に係るスプレー容器によれば、化粧用液状物や塗料液状物を噴霧する際には、活性化された液状物を広い範囲に亘ってより細かい霧粒子に分散させて噴射できるので、皮膚表面からの浸透を高めることができ、また、塗装を対象面にムラなく綺麗に仕上ることができる。
【発明を実施するための最良の形態】
【００２２】
以下、本発明に係る磁化噴射スプレーノズル２、これを用いたスプレー容器Aを図面とともに説明する。
【実施例１】
【００２３】
図１は、本発明に係る磁化噴射スプレーノズル２、スプレー容器Ａの一実施例を示す縦断面図、図２（ａ）、（ｂ）は、図１における液状物中の水分子の構造変化の様子を示した概略図である。
【００２４】
このスプレー容器Ａは、容器本体１に設けた磁化噴射スプレーノズル２を下方に向けて押圧操作することにより、容器本体１内に充填されている液状物Bを被噴射体（不図示）に向けて噴射するものである。
【００２５】
容器本体１は、合成樹脂、ガラス、金属などで形成された既存のものを使用することができ、容器本体１の上端には、磁化噴射スプレーノズル２と着脱可能な被取付部１１を形成している。
【００２６】
磁化噴射スプレーノズル２は、容器本体１と着脱可能な取付部２１を形成し、ここでは、係合部２１と取付部１１が、螺合によって着脱可能にした構造のものを示している。
【００２７】
また、磁化噴射スプレーノズル２には、容器本体１に導出させる吸上げチューブ２３に通じる液状物流通路２２が形成され、この液状物流通路２２を磁力が横断するように永久磁石３を添設し、液状物流通路２２の噴射口２４近傍に磁場を集中させるようにしている。
【００２８】
ここで、磁場とは、磁界と同義であり、永久磁石の回りに存在する力の場をいい、この場の磁力線は、常に閉曲線となる。なお、上記磁力線は、Ｎ極からＳ極に向けて一定に流れるように形成されることは言うまでもない。
【００２９】
本実施例では、永久磁石３として、希土類系などの永久磁石を用いており、電気的な配線を不用にして、簡単且つ小型化される構造にしている。
【００３０】
また、永久磁石３は、液状物流通路２２の一部を横断するように構成しているが、この永久磁石３は、液状物流通路２２の噴射口２４の最先端に、できる限り近い位置で添設されることが望ましい。
【００３１】
更に、永久磁石３の磁力は、６０００ガウス以上を確保できる希土類系の永久磁石を用いるのが良く、この程度の強力な磁力を生じる永久磁石３であれば、噴射直前の液状物Ｂの分子構造を、同方向に確実に配列できると発明者は考えている。
【００３２】
上記のように構成した本発明のスプレー容器Ａは、以下の要領で使用する。
【００３３】
先ず、磁化噴射スプレーノズル２の噴射口２４を被噴射体である皮膚表面などに向け、磁化噴射スプレーノズル２の上端を押圧操作すれば、そのポンプ機構によって、容器本体１内の液状物Ｂ（例えば、化粧水、化粧乳液など）が吸上げチューブ２３下端から吸い上げられる。
【００３４】
そして、吸い上げられた液状物Ｂは、前方にある液状物流通路２２を早い流速で通過することになるが、このとき、永久磁石３による磁場を通過する。
【００３５】
この磁場を通過する際、液状物Ｂ中に含まれる水分子の構造（或いは電子構造）には、磁力が与えられるため、液状物Bのクラスターを細分化するとともに、図２（ａ）（ｂ）に示すように、水分子の結合を弱めて（或いは切り離して）、配列方向を整え、不規則に配列されていたものが、永久磁石３の磁界方向に向けて、同方向に配列される。
【００３６】
そして、このような規則的に水分子構造が配列された状態で液状物Ｂを噴射口２２から被噴射体（不図示）に向けて噴射するため、噴射直後の液状物Ｂは、その浸透圧が高められた状態で被噴射体（例えば、皮膚表面）に噴射することができ、被噴射体に対する液状物（例えば、化粧水、化粧乳液など）Bの浸透効果を高め、これらの液状物Bの効果を十分に引き出すことができる。
【００３７】
特に、噴射口２４から噴射された瞬間の液状物Ｂは、霧状に細かく、且つ、それぞれの分子間の結合力が弱い状態となっているうえに磁化されているので、遠心力による霧を広げる原理を利用した従来のスプレーヘッドよりも霧の一粒一粒を非常に細かくできるため、この細かい一粒の表面張力が低いために、玉状にならずに表面に膜状になり、若しくは毛穴に入り込んで浸透効果を高め、これらの液状物Ｂの効果を十分に引き出すことができるとも言える。
【００３８】
このように、本発明の磁化噴射ノズル２或いはスプレー容器Ａによれば、液状物Bが噴射される直前状態のときに永久磁石３の強い磁場を通して磁化することによって、液状物B中の水素と結合している水分子の酸素原子が電磁波エネルギーを受けて共鳴し、電磁波エネルギーを吸収し、更に磁場により起電力（ローレンツ力）を発生させて、イオンを激しく衝突させるなどして、水分子同士の集合が切り離れ、或いは、弱まるために活性化する。
【００３９】
その結果、容器本体１から吸い上げられた液状物Bは、クラスターが細分化され、浸透力が高められた状態で被噴射体に噴射することができ、液状物Bが本来的に有している特性を十分に引き出して使用することができる。
【００４０】
上記化粧用液状物Bとして、整髪用液状物（シャンプー、ヘアートリートメント等）でも同様の効果を得ることができる。
【００４１】
また、塗装用の塗料液状物Bを用いることもでき、この塗料液状物Bを噴霧する際には、活性化された液状物を広い範囲に亘って、より細かい霧粒子に分散させて噴射できるので、塗装を対象面（自動車表面等）にムラなく綺麗に仕上ることができる。なお、その他の液状物Ｂとしては、農薬散布剤、ステロイド剤等の薬剤を用いることも可能である。
【実施例２】
【００４２】
図３及び図４は、永久磁石３の他の実施例を示す要部説明図であり、本実施例では、噴射口２４に設けられた永久磁石３に磁性体ヨークＹを接続し、この磁性体ヨークＹで挟まれて磁場を集中させる構造のものを示している。
【００４３】
ここで、図１、図２と共通する部位には、同一の番号を付し、その説明は省略する。
【００４４】
図３（ａ）〜（ｄ）は、横断面扇状の永久磁石３を複数個使用した構成例を示す要部説明図であり、図４（ａ）〜（ｄ）は、縦断面矩形状の永久磁石の構成例を示す要部説明図である。
【００４５】
図３（ａ）及び（ｂ）では、２つの扇状磁石の外周全体又は一部に磁性体ヨークＹを設けたものを示しており、このような磁性体ヨークＹを設けることによって、その全ての磁束を噴射口２４の一点に収束させて、細い液状物流通路２２の中を通る液状物Ｂの１分子に当たる磁束数を極端に上げることによって、最大限の磁場を形成することができる。具体的には、磁性体ヨークＹを設ければ、その磁力は、１５、０００ガウス〜２０、０００ガウス程度が得られると発明者は考えている。
【００４６】
また、図３（ｃ）では、扇状磁石を可能な限り連結したものを示しており、上記のような磁性体ヨークＹを用いることなく、噴射口２４の磁場を最大限まで高めることができるものを示している。
【００４７】
図３（ｄ）では、扇状磁石を連結したその他のものを例示しており、所望の磁力に応じて、様々な連結構造による永久磁石３が形成可能であることを例示している。
【００４８】
また、図４（ａ）、（ｂ）、（ｄ）では、縦断面矩形状の永久磁石３に上記同様、磁性体ヨークＹを設けた様々なものを例示したものであり、図４（ｃ）では、縦断面矩形状の永久磁石３に磁性体ヨークＹを用いることなく磁力を高めるものを例示したものであり、これらのような縦断面矩形状の磁石でも図３のものと同様の効果を得ることができる。
【００４９】
上記の通り、本発明では、磁場を通る水の流れが速いほど分子間結合を分裂させる効果が高いことに鑑み、磁化噴射スプレーノズル２の噴霧作用によって水を高速で分散させながら、磁場を通過させることで、単なる放出流に磁場を作用させる場合に比べて、クラスターを細分化する効果が著しく高く、また、同時に水分子の配列方向をも磁化によって整合させている。
【００５０】
さらに、水分子が活性化されるために水に溶け込んでいる酸素が還元され、酸化が抑制される効果もある。
特に、本実施例の場合、永久磁石３から四方に放射される磁力を磁性体ヨークＹで集中させて、磁束ギャップとなる噴射口２４に導いており、そこに磁場を集束させて作用しているので、噴射の直前から磁場は作用されるが、高速で噴霧分散させた液状物Ｂに磁場を与えることで、静止された液状物や通常の水道水からの自然放出流に磁場を作用させる場合に比べて、より水分子のクラスターを細分化する効果が高く、水分子を活性化できると発明者は考えている。
【産業上の利用可能性】
【００５１】
本発明は、液状物を磁化させて噴射する磁化噴射スプレーノズル、スプレー容器として有効に利用することが可能である。
【図面の簡単な説明】
【００５２】
【図１】本発明に係る磁化噴射スプレーノズル２、スプレー容器Ａの一実施例を示す縦断面図である。
【図２】（ａ）、（ｂ）は、図１における液状物中の水分子の構造変化の様子を示した概略図である。
【図３】（ａ）〜（ｄ）は、横断面扇状の永久磁石を複数個使用した永久磁石の構成例を示す要部説明図である。
【図４】（ａ）〜（ｄ）は、縦断面矩形状の永久磁石の構成例を示す要部説明図である。
【符号の説明】
【００５３】
Ａ    スプレー容器
Ｂ    液状物
１    容器本体
２    噴射ノズル
２１  取付部
２２  液状物流通路
２４  噴射口
３    永久磁石
【図１】
2005238180.tif 000003
【図２】
2005238180.tif 000004
【図３】
2005238180.tif 000005
【図４】
2005238180.tif 000006